(57)【要約】      （修正有）【課題】内燃機関に燃料を噴射する燃料噴射ノズルにおいて、噴霧態様の変動を抑制する。【解決手段】ノズル１によれば、シート部１３がシート位置１０に着座しているときに、噴孔１１の開口１１ａがニードル２の先端２ｄよりも軸方向の先端側に存在する。これにより、サック室２１における燃料の流動状態が噴霧態様に及ぼす影響を緩和して噴霧態様の変動を抑制することができる。【選択図】図２
2014194197.tif 000002
【特許請求の範囲】
【請求項１】
円筒状のノズルボディ（３）と、このノズルボディ（３）の内周に軸方向に移動可能となるように収容されるニードル（２）とを備え、前記ニードル（２）が前記ノズルボディ（３）の内周で軸方向に移動することで燃料の噴射を開始または停止する燃料噴射ノズル（１）において、
前記ノズルボディ（３）の内壁の一部であり、前記ニードル（２）の軸方向の先端近傍に設けられたシート部（１３）が離着するシート位置（１０）と、
前記シート位置（１０）よりも軸方向の先端側で前記ノズルボディ（３）の内壁に開口し、前記シート部（１３）が前記シート位置（１０）から離座することで前記ノズルボディ（３）の内周から外部に燃料を導く噴孔（１１）と、
前記シート部（１３）が前記シート位置（１０）に着座しているときの配置関係であり、前記噴孔（１１）の前記内壁における開口（１１ａ）が前記ニードル（２）の軸方向の先端（２ｄ）よりも軸方向の先端側に存在する特定関係とを備える燃料噴射ノズル（１）。
【請求項２】
請求項１に記載の燃料噴射ノズル（１）において、
前記内壁の内、前記シート位置（１０）および前記開口（１１ａ）が存在する壁部分の形状を規定する構造であり、前記壁部分の内、前記シート位置（１０）を含む部分であるシート面は、前記ノズルボディ（３）の軸（β）と同軸の円錐面（１７）として設けられ軸方向先端側ほど小径であって先端が円（２０）であり、前記開口（１１ａ）を含む部分である噴孔開口面は、前記軸（β）と同軸であって前記シート面の先端の径以下の径を有する円筒面（１８）、または、この円筒面（１８）の軸方向の先端側に連続するとともに、前記円筒面（１８）の径と同じ径を有して軸方向の先端側に凸を形成する半球面（１９）である第１構造を備える燃料噴射ノズル（１）。
【請求項３】
請求項１に記載の燃料噴射ノズル（１）において、
前記内壁の内、前記シート位置（１０）および前記開口（１１ａ）が存在する壁部分の形状を規定する構造であり、前記壁部分の内、前記シート位置（１０）を含む部分であるシート面は、前記ノズルボディ（３）の軸（β）と同軸の円錐面（１７）として設けられ軸方向先端側ほど小径であり、前記開口（１１ａ）も前記シート面に存在する第２構造を備える燃料噴射ノズル（１）。
【請求項４】
請求項１に記載の燃料噴射ノズル（１）において、
前記内壁の内、前記シート位置（１０）および前記開口（１１ａ）が存在する壁部分の形状を規定する構造であり、前記壁部分の内、前記シート位置（１０）を含む部分であるシート面は、前記ノズルボディ（３）の軸（β）と同軸の円錐面（１７ａ）として設けられ軸方向先端側ほど小径であって先端が円（２０）であり、前記開口（１１ａ）を含む部分である噴孔開口面は、前記軸（β）と母線との間に形成される角度が前記シート面よりも小さく、かつ、前記軸（β）と同軸の円錐面（１７ｂ）として設けられ軸方向先端側ほど小径である第３構造を備える燃料噴射ノズル（１）。
【発明の詳細な説明】
【技術分野】
【０００１】
本発明は、燃料を噴射する燃料噴射ノズル（以下、略してノズルと呼ぶことがある。）に関する。
【背景技術】
【０００２】
従来から、例えば、内燃機関に燃料を噴射して供給する燃料噴射弁では、燃料を噴射するノズルと、このノズルを開弁駆動または閉弁駆動するアクチュエータとを備えるものが周知である。また、燃料噴射弁に用いられるノズル（燃料噴射ノズル）では、円筒状のノズルボディと、ノズルボディの内周に軸方向に移動可能となるように収容されるニードルとを備えるものが公知である。そして、このノズルは、ニードルがノズルボディの内周で軸方向に移動することで燃料の噴射を開始または停止する。
【０００３】
つまり、ノズルボディの内壁には、ニードルの軸方向の先端近傍に設けられたシート部が離着するシート位置が設けられ、さらに、シート位置よりも軸方向の先端側の内壁には、燃料の噴孔が複数開口している。そして、シート部がシート位置から離座することで、噴孔を通じてノズルボディの内周から外部に燃料が導かれて噴射される（例えば、特許文献１参照。）。
【０００４】
ところで、燃料噴射弁では、噴射された噴霧の態様が変動しないことが理想的とされている。そして、特に、噴霧態様の中でも、噴霧が空間を貫徹する能力（噴霧貫徹力）や噴射量が同一噴射時に個々の噴孔間で変動せず、さらに、同一噴孔でも、同一噴射条件が現れるたびに経時的に変動しないことが理想的とされている。そこで、ノズルボディの内周において、シート位置よりも軸方向の先端側に適切な容量を形成する空間としてサック室を設け、噴孔をサック室に開口させている。これにより、燃料は、シート部とシート位置との間を通ってサック室に流入した後、噴孔から噴射される。
しかし、噴霧態様を制御することは極めて困難であり、サック室の設定とは別に更なる改善策が求められている。
【先行技術文献】
【特許文献】
【０００５】
【特許文献１】特開２０１０−１８０７６３号公報
【発明の概要】
【発明が解決しようとする課題】
【０００６】
本発明は、上記の問題点を解決するためになされたものであり、その目的は、内燃機関に燃料を噴射する燃料噴射ノズルにおいて、噴霧態様の変動を抑制することにある。
【課題を解決するための手段】
【０００７】
本願発明によれば、燃料噴射ノズルは、円筒状のノズルボディと、ノズルボディの内周に軸方向に移動可能となるように収容されるニードルとを備え、ニードルがノズルボディの内周で軸方向に移動することで燃料の噴射を開始または停止する。そして、燃料噴射ノズルは、次のシート位置、噴孔および特定関係を備える。
【０００８】
まず、シート位置は、ノズルボディの内壁の一部であり、ニードルの軸方向の先端近傍に設けられたシート部が離着する。また、噴孔は、シート位置よりも軸方向の先端側でノズルボディの内壁に開口し、シート部がシート位置から離座することでノズルボディの内周から外部に燃料を導く。さらに、特定関係とは、シート部がシート位置に着座しているときの配置関係であり、噴孔の内壁における開口がニードルの軸方向の先端よりも軸方向の先端側に存在する、というものである。
【０００９】
これにより、ノズルボディの内周における燃料の流動状態が噴霧態様に及ぼす影響を緩和して噴霧態様の変動を抑制することができる。
ここで、本発明者らは、噴霧態様の変動を抑制することを目的として、シート部とシート位置との軸方向の距離（ニードルのリフト量）がノズルボディの内周における燃料の流動状態に与える影響に着目する（以下、説明の便宜のため、軸方向の先端側を下側として先端側に向かって動作することを「下降する」と呼ぶことがあり、先端側と反対側を上側として先端側と反対側に向かって動作することを「上昇する」と呼ぶことがある。）。
【００１０】
すなわち、ニードルのリフト量には、ノズルボディの内周のシート位置よりも軸方向先端側の領域（サック室に相当する。）における流動状態が大きく変化する臨界値が存在する。
より具体的に説明すると、リフト量が臨界値よりも小さいとき、シート部とシート位置との間を通ってサック室に流入した燃料は、主に、ニードルの壁面に沿い内周側に向かって下降し、その後、旋回して外周側に向かって流れ、さらにノズルボディの内壁に沿って上昇する。つまり、リフト量が臨界値よりも小さいとき、サック室における流動状態は、ノズルボディの内壁に沿って上昇するように渦流を形成するものとなる。
【００１１】
これに対し、リフト量が臨界値よりも大きいとき、シート部とシート位置との間を通ってサック室に流入した燃料は、主に、ノズルボディの内壁に沿って下降し、その後、旋回して内周側に向かって流れ、さらにニードルの壁面に沿い外周側に向かって上昇する。つまり、リフト量が臨界値よりも大きいとき、サック室における流動状態は、ノズルボディの内壁に沿って下降するように渦流を形成するものとなる。
【００１２】
これにより、リフト量が臨界値よりも小さいときには、サック室において上昇する流れが噴孔に流入し、リフト量が臨界値よりも大きいときには、サック室において下降する流れが噴孔に流入する。このため、噴孔への流入態様が臨界値を境に大きく変化し、結果的に、臨界値を境に噴霧態様が大きく変化してしまう。
そこで、シート部がシート位置に着座しているとき（つまり、ノズルが閉弁しているとき）の配置関係として、「噴孔の内壁における開口がニードルの軸方向の先端よりも軸方向の先端側に存在する」という特定関係を採用する。
【００１３】
これにより、リフト量が臨界値よりも小さいときには、上昇流が流入態様に及ぼす影響を緩和することができ、リフト量が臨界値よりも大きいときには、下降流が流入態様に及ぼす影響を緩和することができる。このため、臨界値を境とする流入態様の変化を抑制できるので、結果的に、臨界値を境とする噴霧態様の変化を抑制することができる。
以上により、サック室における燃料の流動状態が噴霧態様に及ぼす影響を緩和して噴霧態様の変動を抑制することができる。
【図面の簡単な説明】
【００１４】
【図１】燃料噴射ノズルの全体を示す断面図である（実施例１）。
【図２】燃料噴射ノズルの要部を示す特定断面における部分断面図である（実施例１）。
【図３】（ａ）はニードルのリフト量が臨界値よりも小さいときの渦流を示す説明図であり、（ｂ）はニードルのリフト量が臨界値よりも大きいときの渦流を示す説明図である（実施例１）。
【図４】燃料噴射ノズルの要部を示す特定断面における部分断面図である（実施例２）。
【図５】燃料噴射ノズルの要部を示す特定断面における部分断面図である（実施例３）。
【図６】燃料噴射ノズルの要部を示す特定断面における部分断面図である（実施例４）。
【図７】燃料噴射ノズルの要部を示す特定断面における部分断面図である（実施例５）。
【発明を実施するための形態】
【００１５】
以下、発明を実施するための形態を実施例に基づいて説明する。
【実施例】
【００１６】
〔実施例１の構成〕
実施例１の燃料噴射ノズル１（以下、ノズル１と呼ぶ。）の構成を、図面を用いて説明する。
ノズル１は、開弁して燃料を噴射するものであり、ノズル１を開弁駆動または閉弁駆動するアクチュエータ（図示せず。）とともに燃料噴射弁を構成する。そして、燃料噴射弁は、例えば、内燃機関（図示せず。）に搭載され、１００ＭＰａを超える高圧の燃料を気筒内に直接噴射するために用いられる。
【００１７】
なお、アクチュエータは、例えば、ノズル１の弁体（後記するニードル２）に作用する背圧を増減して弁体を駆動するものであり、コイル（図示せず。）への通電により発生する磁気力を利用して背圧室（図示せず。）を開閉することで背圧を増減する。
そして、燃料噴射弁は、例えば、燃料を高圧化して吐出する燃料供給ポンプ（図示せず。）、および、燃料供給ポンプから吐出された燃料を高圧状態で蓄圧する蓄圧容器（図示せず。）とともに蓄圧式の燃料供給装置を構成し、蓄圧容器から高圧の燃料を分配されて気筒内に噴射する。
【００１８】
ノズル１は、図１に示すように、円筒状のノズルボディ３と、ノズルボディ３の内周に軸方向に移動可能となるように収容される弁体としてのニードル２とを備える。そして、ノズル１は、ニードル２がノズルボディ３の内周で軸方向に移動することで燃料の噴射を開始または停止する。
【００１９】
ここで、ニードル２は、ノズルボディ３により軸方向に摺動自在に支持される摺動軸部２ａ、および、実質的に弁部として機能する円錐状の先端部２ｂを有し、摺動軸部２ａと先端部２ｂとの間は軸方向に長い円柱部２ｃをなす。
ノズルボディ３の内周は、軸方向に長い円筒状をなし先端が閉じられている。また、ノズルボディ３の内周の一部は、局部的に径方向に拡大され、噴射すべき燃料が一時的に溜まる燃料溜まり４をなす。
【００２０】
そして、ノズルボディ３の内周の内、燃料溜まり４の軸方向後端側の領域は、摺動軸部２ａを摺動自在に支持するための摺動孔５をなし、燃料溜まり４の軸方向先端側の領域は、先端部２ｂおよび円柱部２ｃを収容して円環筒状の燃料通路６を形成する。なお、ノズルボディ３には、蓄圧容器から受け入れた燃料を燃料溜まり４に導くための燃料通路７が、別途、燃料溜まり４に接続している。
【００２１】
以下、ノズル１の特徴的な構成を、図２を用いて説明する。
ノズル１は、特徴的な構成として、シート位置１０および噴孔１１を備え、さらに、シート部１３がシート位置１０に着座しているときの（ノズル１が閉弁しているときの）配置関係である特定関係、および、ノズルボディ３の先端近傍の内壁の形状を規定する第１構造を備える。
【００２２】
まず、シート位置１０は、ノズルボディ３の先端近傍の内壁の一部であり、先端部２ｂに設けられたシート部１３が離着する。
ここで、先端部２ｂの外周面は、例えば、３つの異なる円錐面１４ａ、１４ｂ、１４ｃが先端から軸方向後端側に同軸に連続するものであり、円錐面１４ａ〜１４ｃは、それぞれの母線とニードル２の軸αとの間に形成される角度が先端側ほど大きくなっている。そして、円錐面１４ａ、１４ｂ同士の交線１５ａ、および円錐面１４ｂ、１４ｃ同士の交線１５ｂは軸αに垂直な円であり、交線１５ｂがシート部１３として機能し、シート位置１０は円形である。
【００２３】
また、噴孔１１は、シート位置１０よりも軸方向の先端側でノズルボディ３の内壁に開口し、シート部１３がシート位置１０から離座することでノズルボディ３の内周から外部に燃料を導く。つまり、シート部１３がシート位置１０から離座することで、シート部１３とシート位置１０との間に隙間が形成され、この隙間を通って燃料通路６から噴孔１１に燃料が導入されてノズルボディ３の外部に噴射される。
【００２４】
また、特定関係とは、シート部１３がシート位置１０に着座しているときに、噴孔１１の内壁における開口１１ａがニードル２の軸方向の先端２ｄよりも軸方向の先端側に存在する、というものである。したがって、開口１１ａは、シート部１３がシート位置１０に着座しているか、シート位置１０から離座しているかに関わらず、常に、先端２ｄよりも軸方向の先端側に存在する。
【００２５】
さらに、第１構造とは、ノズルボディ３の先端近傍の内壁の内、シート位置１０を含む部分であるシート面と、開口１１ａを含む部分である噴孔開口面との関係を規定するものである。より詳しくは、第１構造によれば、シート面および噴孔開口面は、次のように規定される。まず、シート面は、軸βと同軸の円錐面として設けられ軸方向先端側ほど小径であって先端が円である、というものである。また、噴孔開口面は、軸βと同軸であってシート面の先端の径以下の径を有する円筒面、または、この円筒面の軸方向の先端側に連続するとともに、円筒面の径と同じ径を有して軸方向の先端側に凸を形成する半球面である、というものである。
【００２６】
より具体的に説明すると、ノズルボディ３の先端近傍の内壁は、以下の円錐面１７、円筒面１８および半球面１９を有し、ノズルボディ３の内周先端を袋状に閉じている。
円錐面１７は、軸βと同軸に設けられ、軸方向先端側ほど小径であって先端が円２０である。そして、円錐面１７は、シート位置１０を含んでシート面となっている。
【００２７】
また、円筒面１８は、軸βと同軸に設けられ、円２０と同径であって円２０から軸方向先端側に連続する。さらに、半球面１９は、円筒面１８と同径であり、軸方向先端側に凸を形成するように円筒面１８に連続する。そして、噴孔１１の内壁における開口１１ａは、円筒面１８と半球面１９とに跨るように設けられ、円筒面１８、半球面１９は、噴孔開口面となっている。
なお、シート位置１０よりも軸方向先端側の内周領域はサック室２１を形成し、噴孔１１は、噴孔開口面にてサック室２１に開口する。
【００２８】
〔実施例１の効果〕
実施例１のノズル１は次の特定関係を備える。すなわち、特定関係とは、シート部１３がシート位置１０に着座しているときの配置関係であり、開口１１ａが先端２ｄよりも軸方向の先端側に存在する、というものである。
これにより、サック室２１における燃料の流動状態が噴霧態様に及ぼす影響を緩和して噴霧態様の変動を抑制することができる。
【００２９】
ここで、噴霧態様の変動を抑制することを目的として、シート部１３とシート位置１０との軸方向の距離（ニードル２のリフト量）に着目すると、ニードル２のリフト量には、サック室２１における流動状態が大きく変化する臨界値が存在する（以下、説明の便宜のため、ニードル２やノズルボディ３の軸方向の先端側を下側として先端側に向かって動作することを「下降する」と呼ぶことがあり、先端側と反対側を上側として先端側と反対側に向かって動作することを「上昇する」と呼ぶことがある。）。
【００３０】
より具体的に説明すると、リフト量が臨界値よりも小さいとき、シート部１３とシート位置１０との間を通ってサック室２１に流入した燃料は、主に、ニードル２の壁面に沿い内周側に向かって下降し、その後、旋回して外周側に向かって流れ、さらにサック室２１を形成する内壁に沿って上昇する。つまり、リフト量が臨界値よりも小さいとき、サック室２１における流動状態は、ノズルボディ３の内壁に沿って上昇するように渦流を形成するものとなる（図３（ａ）参照。）。
【００３１】
これに対し、リフト量が臨界値よりも大きいとき、シート部１３とシート位置１０との間を通ってサック室２１に流入した燃料は、主に、サック室２１を形成する内壁に沿って下降し、その後、旋回して内周側に向かって流れ、さらにニードル２の壁面に沿い外周側に向かって上昇する。つまり、リフト量が臨界値よりも大きいとき、サック室２１における流動状態は、ノズルボディ３の内壁に沿って下降するように渦流を形成するものとなる（図３（ｂ）参照。）。
【００３２】
これにより、リフト量が臨界値よりも小さいときには、サック室２１において上昇する流れが噴孔１１に流入し、リフト量が臨界値よりも大きいときには、サック室２１において下降する流れが噴孔１１に流入する。このため、噴孔１１への流入態様が臨界値を境に大きく変化し、結果的に、臨界値を境に噴霧態様が大きく変化してしまう。
そこで、シート部１３がシート位置１０に着座しているとき（つまり、ノズル１が閉弁しているとき）の配置関係として、開口１１ａが先端２ｄよりも軸方向の先端側に存在する、という特定関係を採用する。
【００３３】
そして、特定関係を採用することで、リフト量が臨界値よりも小さいときには、サック室２１において燃料の流れが外周側に向かう流れから上昇流に転じる位置に開口１１ａを近づけることができる。これにより、上昇流が流入態様に及ぼす影響を緩和することができる。
すなわち、図３（ａ）に示すように、開口１１ａが先端２ｄと軸方向に関してオーバーラップする仮想状態の場合、上昇流に転じる位置と開口１１ａとが遠いので、燃料は、上昇流としての流れが整った後、開口１１ａに到達して噴孔１１に導入される。このため、上昇流が流入態様に及ぼす影響は大きいものと考えられる。
【００３４】
これに対し、開口１１ａを先端２ｄよりも軸方向の先端側に設けることで、上昇流に転じる位置に開口１１ａを近づける。これにより、上昇流として流れが充分に整う前に、燃料を開口１１ａに到達させて噴孔１１に導入することができる。このため、特定関係を採用することで、上昇流が流入態様に及ぼす影響を緩和することができる。
【００３５】
また、特定関係を採用することで、リフト量が臨界値よりも大きいときには、サック室２１において燃料の流れが下降流から内周側に向かう流れに転じる位置に開口１１ａを近づけることができる。これにより、下降流が流入態様に及ぼす影響を緩和することができる。
すなわち、図３（ｂ）に示すように、開口１１ａが先端２ｄと軸方向に関してオーバーラップする仮想状態の場合、下降流から転じる位置と開口１１ａが遠いので、燃料は、下降流としての流れが乱れ始める前に、開口１１ａに到達して噴孔１１に導入される。このため、下降流が流入態様に及ぼす影響は大きいものと考えられる。
【００３６】
これに対し、開口１１ａを先端２ｄよりも軸方向の先端側に設けることで、下降流から転じる位置に開口１１ａを近づける。これにより、下降流として流れが乱れ始めた後に、燃料を開口１１ａに到達させて噴孔１１に導入することができる。このため、特定関係を採用することで、下降流が流入態様に及ぼす影響を緩和することができる。
以上により、臨界値を境とする流入態様の変化を抑制できるので、結果的に、臨界値を境とする噴霧態様の変化を抑制することができる。このため、サック室２１における燃料の流動状態が噴霧態様に及ぼす影響を緩和して噴霧態様の変動を抑制することができる。
【００３７】
〔実施例２〕
実施例２のノズル１は、図４に示すように、先端部２ｂの内、円錐面１４ａを有する最先端部２ｅを実施例１のノズル１よりも軸方向に短縮したものである。つまり、実施例１の特定関係は、最先端部２ｅを従来と比較してさほど軸方向に短縮することなく、開口１１ａをサック室２１の軸方向先端に近づけることで形成するものであったが、実施例２の特定関係は、最先端部２ｅを軸方向に短縮することで形成されている。
【００３８】
〔実施例３〕
実施例３のノズル１によれば、図５に示すように、先端部２ｂは、円錐面１４ａを有さず（最先端部２ｅを有さず）、ニードル２の先端は、軸αに垂直な円形の平面２３である。そして、実施例２の特定関係は、ニードル２の先端を平面２３に設けることで形成されている。
【００３９】
〔実施例４〕
実施例４のノズル１は、実施例１〜３と同様の特定関係を備える。また、実施例４のノズル１は、ノズルボディ３の先端近傍の内壁の形状を規定する構造として、次の第２構造を備える。
ここで、第２構造とは、第１構造と同様にシート面と噴孔開口面との関係を規定するものであるが、第２構造によれば、図６に示すようにシート面および噴孔開口面は共通の円錐面１７であって、共通の円錐面１７にシート位置１０および開口１１ａが両方とも存在する。
【００４０】
すなわち、第２構造は、シート面が軸βと同軸の円錐面１７として設けられ軸方向先端側ほど小径であり、シート面に開口１１ａが存在する、というものである。
なお、最先端部２ｅは実施例１のノズル１よりも軸方向に短縮されている。また、サック室２１の先端には、研削による逃し２５が形成されている。
【００４１】
〔実施例５〕
実施例５のノズル１は、実施例１〜４と同様の特定関係を備える。また、実施例５のノズル１は、ノズルボディ３の先端近傍の内壁の形状を規定する構造として、次の第３構造を備える。
ここで、第３構造とは、第１、第２構造と同様にシート面と噴孔開口面との関係を規定するものであるが、第３構造によれば、図７に示すようにシート面および噴孔開口面は異なる２つの円錐面である。より詳しくは、第３構造によれば、シート面および噴孔開口面は、次のように規定される。すなわち、第３構造によれば、シート面は、軸βと同軸の円錐面として設けられ軸方向先端側ほど小径であって先端が円である。また、噴孔開口面は、軸βと母線との間に形成される角度がシート面よりも小さく、かつ、軸βと同軸の円錐面として設けられ軸方向先端側ほど小径である。
【００４２】
より具体的に説明すると、ノズルボディ３の先端近傍の内壁は、以下の第１、第２円錐面１７ａ、１７ｂを有している。
第１、第２円錐面１７ａ、１７ｂはノズルボディ３の軸βと同軸であり、第１円錐面１７ａは、軸方向先端側ほど小径であって先端が円２０である。また、第２円錐面１７ｂは、円２０の軸方向先端側に連続しており、軸βと母線との間に形成される角度が第１円錐面１７ａよりも小さい。そして、シート位置１０は第１円錐面１７ａに設けられ、第１円錐面１７ａがシート面となっている。また、開口１１ａは第２円錐面１７ｂに設けられ、第２円錐面１７ｂが噴孔開口面となっている。
なお、最先端部２ｅは実施例１のノズル１よりも軸方向に短縮されている。
【００４３】
〔変形例〕
ノズル１の態様は実施例に限定されず、種々の変形例を考えることができる。例えば、第２、第３構造を有するノズル１において、ニードル２の先端を平面２３にすることで、特定関係を形成してもよく、最先端部２ｅを従来と比較してさほど軸方向に短縮することなく、開口１１ａをサック室２１の軸方向先端に近づけて特定関係を形成してもよい。
【符号の説明】
【００４４】
１  ノズル（燃料噴射ノズル）  ２  ニードル  ２ｄ  先端  ３  ノズルボディ
１０  シート位置  １１  噴孔  １１ａ  開口  １３  シート部
【図１】
2014194197.tif 000003
【図２】
2014194197.tif 000004
【図３】
2014194197.tif 000005
【図４】
2014194197.tif 000006
【図５】
2014194197.tif 000007
【図６】
2014194197.tif 000008
【図７】
2014194197.tif 000009